【事件の表示】
　商願２０１２−　６０９２５拒絶査定不服審判事件について、次のとおり審決する。
【結　論】
　本件審判の請求は、成り立たない。
【理　由】
第１　本願商標
　本願商標は、「萌えパチ」の文字を標準文字で表してなり、第２８類「遊戯用器具，ビリヤード用具，囲碁用具，将棋用具，歌がるた，さいころ，すごろく，ダイスカップ，ダイヤモンドゲーム，チェス用具，チェッカー用具，手品用具，ドミノ用具，トランプ，花札，マージャン用具，愛玩動物用おもちゃ，運動用具（登山用・サーフィン用・水上スキー用・スキューバダイビング用のものを除く。），釣り具，遊園地用機械器具」を指定商品として、平成２４年７月２７日に登録出願されたものである。
　
第２　原査定の拒絶の理由
　原査定は、「本願商標は、『萌えパチ』の文字を標準文字で表示してなるところ、該文字は『萌えるパチンコ台、パチスロ台』の俗称と認められ、『萌えスロ』の語が萌えキャラを使用したパチスロ機であることから、『萌えパチ』の文字は『萌えキャラを使用したパチンコ台。萌えキャラを使用したパチスロ台』の意味合いを容易に想起させるものである。加えて『萌えパチ』の文字が『パチンコ台』を取り扱う業界やパチンコ愛好家のブログにおいて広く用いられており、また、該文字を謳い文句にしたパチンコ台等も販売されている実情が認められる。そうとすると、本願商標をその指定商品中の『パチンコ台、スロットマシン』使用するときには、これに接する取引者、需要者は、その商品が『萌えキャラを使用したパチンコ台又は萌えキャラを使用したスロットマシンであること』を表示したものと理解するにすぎないというのが相当であるから、本願商標は単に商品の品質（内容）を普通に用いられる方法で表示したものといえる。したがって、本願商標は、商標法第３条第１項第３号に該当し、前記商品以外の商品に使用するときは、商品の品質について誤認を生じさせるおそれがあるので、商標法第４条第１項第１６号に該当する。」旨認定、判断し、本願を拒絶したものである。
　
第３　当審における手続の経緯
　当審において、請求人に対し、平成２６年２月２０日付けの審尋（以下「審尋」という。）により、「萌えパチ」の文字の使用事実を提示した上で、本願商標は、商標法第３条第１項第３号及び同法第４条第１項第１６号に該当するとして、意見を求めた。
　これに対し、請求人は、平成２６年４月７日付け回答書（以下「回答書」という。）を提出した。
　
第４　当審の判断
１　商標法第３条第１項第３号及び商標法第４条第１項第１６号に該当することについて
（１）本願商標は、「萌えパチ」の文字を標準文字で表してなるものであるところ、「萌え」の文字は、「ある物や人に対してもつ、一方的で強い愛着心・情熱・欲望などの気持ちをいう俗語。必ずしも恋愛感情を意味するものではない。」（小学館デジタル大辞泉）、「ある人物やものにたいして、深い思い込みを抱くようすをいう若者言葉。その対象は実在するものだけでなく、アニメーションのキャラクターなど空想上のものにも及ぶ。」（三省堂大辞林第三版）等の意味で知られた語である。
　また、「パチ」の文字は、本願商標の指定商品との関係においては、「パチンコ台（機）」の略称として、広く使用されている語である。（以下アないしウ）
　ア　ニコニコ大百科（仮）によると、単語記事「パチ」の見出しの下、「パチンコの略称。パチンコ愛好者によって呼ばれる。」との記載がある。
（http://dic.nicovideo.jp/a/%E3%83%91%E3%83%81）
　イ　weblio辞書によると、「デジパチ」の見出しの下、「パチンコ台のジャンルのひとつで『デジタルパチンコ』が語源。」との記載がある。
（http://www.weblio.jp/content/%E3%83%87%E3%82%B8%E3%83%91%E3%83%81）
　ウ　（株）ガイドワークス　パチンコ・パチスロ用語集によると、「遊パチ」の見出しの下、「大当たり確率が比較的高めに設定された『遊べるタイプ』のパチンコ機。」との記載がある。
（http://guideworks.co.jp/contents/pachinko_word）
　そうすると、本願商標は、その構成文字から、「萌えに関する意味合いを想起させるパチンコ台（機）」を表す語として認識させるものである。
（２）そして、「萌えパチ」は、パチンコ台（機）を取り扱う業界において、人気アイドルやアニメの美少女キャラクターを起用するなど「萌えの要素を取り入れたパチンコ台（機）」を表す語として、パチンコ台（機）の一つのジャンルとなっていること、「萌えパチ」と称する機種を製造しているパチンコ台（機）メーカーが存在すること、「萌えパチ」と称するパチンコ台（機）を設置しているパチンコ店が存在する。（以下アないしキ）
　ア　「アニメ！アニメ！」のウェブサイトにおいて、「萌えスロのパイオニアがＴＶアニメ化『Ｒｉｏ　ＲａｉｎｂｏｗＧａｔｅ！』」の見出しの下、「パチンコやパチスロに『萌え』要素を取り入れた『萌えパチ・萌えスロ』は、現在では必ずしも珍しい存在ではない。こうした『萌えパチ・萌えスロ』のパイオニアというべきキャラクター　Ｒｉｏ（リオ）がこのほどテレビアニメ化されることになった。」の記載がある。 
（http://animeanime.jp/article/2010/11/27/7249.html） 
　イ　「７７７＠ｎｉｆｔｙ」のウェブサイトにおいて、「各社の『萌え』キャラがコミケ７８に登場！」の見出しの下、「２０１０年８月１３日（金）〜１５日（日）の３日間、東京ビッグサイトで開催される世界最大の同人誌即売会『コミックマーケット７８』内の企業ブースにて、パチンコ・パチスロメーカー数社による出展が行われる。今や『戦国』と並ぶまでの主要ジャンルに育ちつつある『萌えパチ・萌えスロ』。今回は、この暑い夏に『萌え』を投入するメーカーの展示情報をご紹介しよう。」の記載がある。 
（http://777.nifty.com/cs/catalog/777_87/catalog_100806166241_1.htm） 
　ウ　「ＰａｃｈｉｎｋｏＶｉｓｔａ．ｃｏｍ」のウェブサイトにおいて、「エース電研『ＣＲ上へまいりま〜す４』発表記者会見」の見出しの下、「２０１２年２月１０日、株式会社エース電研は、東京・台東区にある同社本社ビルにて、パチンコ最新機種『ＣＲ上へまいりま〜す４』の発表記者会見を開催した。本機はデパガが活躍する異色萌えパチの最新作で、定番のゲーム性を継承しつつ、ファンの間で人気の高かったキャラをクローズアップするなどの新要素を盛り込んだ仕上がり。」の記載とともにパチンコ台の写真が掲載されている。 
（http://www.pachinkovista.com/pfactory/model.php?nid=19282dsp=4km=1） 
　エ　「パチンコ倶楽部」のウェブサイトにおいて、「ＣＲ麻雀物語〜麗しのテンパイ乙女〜９ＡＷ【平和】」の見出しの下、「２０１２年４月１１日、株式会社平和は『２代目　平和イメージガール』就任発表会、パチンコ新機種『ＣＲ麻雀物語〜麗しのテンパイ乙女』プレス発表会を同社東京営業所にて開催した。」及び「平和の人気機種『麻雀物語』シリーズの最新機種で、新たに書き下ろされたキャラデザイン、豪華声優陣を起用し、『戦国乙女』『南国物語』に続く、新たな萌えパチとして登場する『ＣＲ麻雀物語〜麗しのテンパイ乙女』。」の記載とともにパチンコ台の写真が掲載されている。 
（http://www.pachinko-club.com/machine/607803_exhibition） 
　オ　「ＰＬＡＹ　ＧＲＡＰＨ」のウェブサイトにおいて、「豊丸産業の新機種は『萌えパチ』」の見出しの下、「豊丸産業（本社・名古屋市、永野裕豊社長）は１１月８日、同社ショールームで新機種『ＣＲローズテイルアルティメット』と『ＣＲ野薔薇（のばら）物語』（スペック＆一部演出が違う）の展示会を開催。メイド姿の『のばら』や制服姿の『栞（しおり）』の萌えキャラが主人公。」の記載とともにパチンコ台の写真が掲載されている。
（http://www.play-graph.com/hot/post_684.php） 
　カ　「ｐａｃｈｉｎｋｏ　ｖｉｌｌａｇｅ」のウェブサイトにおいて、「ＣＲＡめちゃ萌えＧＬＥ（西陣）」の見出しの下、「機種情報」の欄に「２０００年発表の『ＣＲめちゃイケナース』のキャラクターデザインなどをリメイクした『萌えパチ』。」の記載とともにパチンコ台の写真が掲載されている。 
（http://www.pachinkovillage.ne.jp/pv/pc/machine/spec/spec_top_p.php?ps_flag=1m_id=1024） 
　キ　「東海パチンコ・スロット店舗情報　完全無料ギガサイト【パチトラ】」のウェブサイトにおいて、「ジャンボ」の見出しの下、「店舗情報」、「設置機種情報」及び「ご意見・ご要望」の欄があり、「設置機種情報」欄をクリックすると設置機種の一覧が表示され、その中に「萌えパチコーナー」の記載とともにいくつかの機種が記載されている。 
（http://p-tora.com/toukai/smafo/hall/detail.html?no=165） 
（３）加えて、インターネットを経由したパチンコ台（機）のオンラインショップにおいて、「萌えパチ」の商品ジャンルの下で、例えば「高尾」「平和」「大一商会」「京楽」などの複数の社の中古のパチンコ台（機）が取引されている。（以下アないしコ）
　ア　「京楽　パチンコAKB48の販売価格を比較！」の見出しの下、「萌えパチ」のジャンルが存在し、中古のパチンコ台（機）が取引されている。
（http://pachi-kakaku.com/%E3%81%B1%E3%81%A1%E3%82%93%E3%81%93akb48/）
　イ　「高尾　ＣＲクイーンズブレイド アルドラの販売価格を比較！」の見出しの下、「萌えパチ」のジャンルが存在し、中古のパチンコ台（機）が取引されている。
（http://pachi-kakaku.com/%E3%82%AF%E3%82%A4%E3%83%BC%E3%83%B3%E3%82%BA%E3%83%96%E3%83%AC%E3%82%A4%E3%83%89%E3%82%A2%E3%83%AB%E3%83%89%E3%83%A9/）
　ウ　「大一商会　ＣＲひぐらしのなく頃に頂　ＭＡＸｖｅｒの販売価格を比較！」の見出しの下、「萌えパチ」のジャンルが存在し、中古のパチンコ台（機）が取引されている。
（http://pachi-kakaku.com/%E3%81%B2%E3%81%90%E3%82%89%E3%81%97%E3%81%AE%E3%81%AA%E3%81%8F%E9%A0%83%E3%81%AB%E9%A0%82/）
　エ　「平和　ＣＲ戦国乙女３　Ｍ９ＡＹの販売価格を比較！」の見出しの下、「萌えパチ」のジャンルが存在し、中古のパチンコ台（機）が取引されている。
（http://pachi-kakaku.com/cr%E6%88%A6%E5%9B%BD%E4%B9%99%E5%A5%B33/）
　オ　「サンセイＲ＆Ｄ　ＣＲおねだりマスカットＡＡの販売価格を比較！」の見出しの下、「萌えパチ」のジャンルが存在し、中古のパチンコ台（機）が取引されている。
（http://pachi-kakaku.com/cr%E3%81%8A%E3%81%AD%E3%81%A0%E3%82%8A%EF%BC%81%E3%83%9E%E3%82%B9%E3%82%AB%E3%83%83%E3%83%88aa/）
　カ　「平和　ＣＲ百花繚乱　サムライガールズの販売価格を比較！」の見出しの下、「萌えパチ」のジャンルが存在し、中古のパチンコ台（機）が取引されている。
（http://pachi-kakaku.com/cr%E7%99%BE%E8%8A%B1%E7%B9%9A%E4%B9%B1%E3%82%B5%E3%83%A0%E3%83%A9%E3%82%A4%E3%82%AC%E3%83%BC%E3%83%AB%E3%82%BA/）
　キ　「高尾　ＣＲ一騎当千ＳＳ２　ＷＸＢの販売価格を比較！」の見出しの下、「萌えパチ」のジャンルが存在し、中古のパチンコ台（機）が取引されている。
（http://pachi-kakaku.com/%E4%B8%80%E9%A8%8E%E5%BD%93%E5%8D%83ss2-wxb/）
　ク　「平和　ＣＲパチンコＲｉｏ　Ｒａｉｎｂｏｗ　Ｒｏａｄ（リオレンボーロード）Ｍ９ＡＷの発売価格を比較！」の見出しの下、「萌えパチ」のジャンルが存在し、中古のパチンコ台（機）が取引されている。
（http://pachi-kakaku.com/%E3%83%AA%E3%82%AA%E3%83%AC%E3%82%A4%E3%83%9C%E3%83%BC%E3%83%AD%E3%83%BC%E3%83%89/）
　ケ　「平和　ＣＲ麻雀物語　麗しのテンパイ乙女の販売価格を比較！」の見出しの下、「萌えパチ」のジャンルが存在し、中古のパチンコ台（機）が取引されている。
（http://pachi-kakaku.com/cr%E9%BA%BB%E9%9B%80%E7%89%A9%E8%AA%9E%E9%BA%97%E3%81%97%E3%81%AE%E3%83%86%E3%83%B3%E3%83%91%E3%82%A4%E4%B9%99%E5%A5%B3/）
　コ　中古パチンコ販売店「Ａ−ＰＡＣＨＩＮＫＯ」のウェブサイトにおいて、「萌えパチコーナー」が存在し、中古のパチンコ台（機）が取引されている。
（http://www.a-pachinko.com/SHOP/g80838/t02/list1.html）
（４）以上のことからすれば、「萌えパチ」の文字（語）は、パチンコ台（機）を取り扱う業界において、「萌えの要素を取り入れたパチンコ台（機）」を表す語として使用され、かつ、取引者、需要者に認識されているといるというのが相当である。
　そうとすると、「萌えパチ」の文字からなる本願商標は、これをその指定商品中「パチンコ台（機）」に使用するときは、これに接する取引者、需要者は、本願商標を「萌えの要素を取り入れたパチンコ台（機）」であるという商品の品質を表示したものと認識するにすぎず、自他商品の識別標識としての機能を果たし得ないものといわなければならない。
　また、本願商標の指定商品中「パチンコ台（機）以外の遊技用具」に使用するときはこれに接する取引者、需要者は、「萌えの要素を取り入れたパチンコ台（機）」を認識し、当該商品があたかも「パチンコ台（機）」であるかのように、商品の品質の誤認を生じさせるおそれがあるといわなければならない。
　したがって、本願商標は商標法第３条第１項第３号及び商標法第４条第１項第１６号に該当するものである。
２　請求人の主な主張について
（１）請求人は、要するに「萌えパチ」は、「萌え」という語と、「パチ」という語との組み合わせからなる結合商標であり、全体として「ある物や人に対する行為を感じる要素を取り入れたパチンコ台あるいはパチスロ台」程の意味合いを看取させ得るとしても、商品の品質等を直接的、具体的に表したものとは到底いうことはできず、本願商標は構成全体をもって、特定の観念を生じない一種の造語である旨、主張する。
　しかしながら、「萌えパチ」の文字（語）が造語であるとしても、前記１のとおり「萌えパチ」は、「萌えの要素を取り入れたパチンコ台（機）」を表す語として、パチンコ台（機）の一つのジャンルとして使用されている事実等が認められるものであるから、請求人の主張は採用することができない。
（２）請求人は、「パチ」の語がパチンコ台を直接的かつ具体的に表すものとする事実はなく、また「萌えパチ」自体も特定の観念を生じない一種の造語であることからして、「パチンコ台以外の遊戯用具，遊園地用機械器具」に当該商標を使用しても、これに接する取引者・需要者が、当該商品があたかも「パチンコ台」に関連するかのように商品の品質誤認を生じるおそれがない旨、主張する。
　しかしながら、前記１のとおり、「パチ」の語が、「パチンコ台（機）」の略称として広く使用されていること、また、「萌えパチ」の文字（語）が、「萌えの要素を取り入れたパチンコ台（機）」を表す語として認識されるものであるから、パチンコ台（機）と用途、需要者等を共通にすることが多い「パチンコ台（機）以外の遊戯用具」に使用するときには、該商品があたかも「パチンコ台（機）」であるかのように、商品の品質の誤認を生じさせるおそれがあるので、商標法第４条第１項第１６号に該当するものである。
３　むすび
　以上のとおり、本願商標は商標法第３条第１項第３号及び同法第４条第１項第１６号に該当し、登録することができない。
　よって、結論のとおり審決する。